(57)【要約】【課題】揺動体とルア−本体後端側に釣り針を有していても釣り針が揺動体の取付部材に引っ掛からないルア−を提供することである。【解決手段】ルア−本体２の前端の背部２ａには凹状の水の抵抗部２ｂが形成され、水の抵抗部２ｂの後側の背部２ａに釣糸４の止着部５が固定されて止着部５より更に後側の背部２ａに線材からなる突部６の一端６ａが固定され、突部６の他端６ｂには揺動体７の取付部材Ｔのスイベル８と連結リング９を介して金属材等の板からなる揺動体７が回転自在に取り付けられている。ルア−本体２の腹部２ｃの前側には止着部１０が固定されて釣り針１１がリング１２を介して止着部１０に揺動自在に取り付けられている。ルア−本体２の腹部２ｃの後端側には止着部１３が固定されて釣り針１４がリング１５を介して止着部１３に揺動自在に取り付けられている。【選択図】        図１
2004337082.tif 000002
【特許請求の範囲】
【請求項１】
ルア−本体の背部に揺動体を取り付け、少なくとも前記ルア−本体の後端側に釣り針を設けたことを特徴とするルア−。
【請求項２】
ルアー本体の背部に突部を設け、揺動体は前記突部に設けられていることを特徴とする請求項１記載のルア−。
【請求項３】
ルア−本体の後端側の釣り針は腹部に設けられていることを特徴とする請求項１または２記載のルア−。
【発明の詳細な説明】
【０００１】
【発明の属する技術分野】
本発明は、ルア−本体の背部に揺動体を取り付けたルア−に関する。
【０００２】
【従来の技術】
従来から特許文献１、特許文献２のようにプレ−ト（板状体）からなる揺動体を有するルア−が使用されている。
【特許文献１】特開平２００３−７０３８３号公報図２
【特許文献２】特開平２００３−７０３８３号公報図５
【０００３】
特許文献１、特許文献２には、ルア−の後端に軸を介してプレ−トからなる揺動体を揺動自在に設け、このプレ−トからなる揺動体の揺動につられて魚を引きつけるようになっている。
ところがこの様なルア−は、プレ−トからなる揺動体がルア−の後端から後方へ突出する軸に取り付けられて揺動するため、この揺動体の取付部材の連結リングや軸に釣り針が引っ掛かる不具合を防止することから釣り針がルア−の後端側には取り付けられず、ルア−本体の中間より前端側にのみ釣り針が設けられている。
しかし、魚は、この揺動する揺動体を狙って噛みつくが、その近くに釣り針が設けられていないため針掛かりしにくい欠点があった。
【０００４】
【発明が解決しようとする課題】
解決しようとする課題は、
特許文献１、特許文献２のようにルアー後端に揺動体を設けたルア−は、揺動体の取付部材の連結リングや軸に釣り針が引っ掛かる不具合を防ぐことからルア−の後端側に釣り針が取り付けられず、魚が針掛かりしにくいことである。
【０００５】
本発明の目的は前記欠点に鑑み、揺動体とルア−本体後端側に釣り針を有していても釣り針が揺動体の取付部材に引っかからないルア−を提供することである。
【０００６】
【課題を解決するための手段】
上記課題を解決するために、
請求項１に係わる本発明は、ルア−本体の背部に揺動体を取り付け、少なくとも前記ルア−本体の後端側に釣り針を設けたことを要旨とするものである。
請求項２に係わる本発明は、ルアー本体の背部に突部を設け、揺動体は前記突部に取り付けられていることを要旨とするものである。
請求項３に係わる本発明は、ルア−本体の後端側の釣り針は腹部に設けられていることを要旨とするものである。
【０００７】
本発明により、揺動体７を設けて魚を引き付けることが出来、しかも、ルア−本体２の後端側に釣り針１４を設けても釣り針１４が突部６や揺動体７の取付部材Ｔに引っ掛かる不具合が防止でき、魚を針掛かりさせ釣果を増やすことが出来る。
【０００８】
【発明の実施の形態】
以下、図示の実施例によって本発明を説明すると、図１、図２は第１実施例で、図１はルア−の側面図、図２はルア−の一部断面図である。
【０００９】
ルア−１は木材、合成樹脂等で形成されたルア−本体２の中に重り３が設けられている。
ルア−本体２は、左右の側面Ｓ１，Ｓ２の上側の周縁部にあたる背部２ａと、その下側の周縁部にあたる腹部２ｃを有する魚の形状に形成され、ルアー本体２の前端側の背部２ａには凹状の水の抵抗部２ｂが形成され、水の抵抗部２ｂの後側の背部２ａに釣糸４の止着部５が固定されている。
止着部５より更に後側のルア−本体２の後端側の背部２ａに金属や合成樹脂等の線材からなる突部６の一端６ａが固定され、ルア−本体２の後側へ突出している。
この線材からなる突部６は、可撓性を有している。
【００１０】
また、突部６は後側に加えて上側に向かって突出し、その他端６ｂはルアー本体２より上方に位置し、ここに、揺動体７の取付部材Ｔのスイベル８と連結リング９を介して揺動体７が揺動自在に取り付けられ、さらに、揺動体７は、取付部材Ｔのスイベル８により回転自在となっている。
揺動体７は背部２ａに突設した突部６に設けられており、ルア−本体２の前端Ｚと後端Ｋを結ぶ線分のＸ線より上側に取り付けられており、また、その取り付けはルアー本体２より上方で、線分Ｘの上方位置にてなされている。
揺動体７は金属や合成樹脂等の板状体からなっているため、釣り針１４に絡みにくい。
【００１２】
ルア−本体２の腹部２ｃの前端側には止着部１０が固定されて釣り針１１がリング１２を介して止着部１０に揺動自在に取り付けられている。
ルア−本体２の腹部２ｃの後端側には止着部１３が固定されて釣り針１４がリング１５を介して止着部１３に揺動自在に取り付けられている。
その揺動領域１４Ｒは、釣り針１４が揺動したときに針先が通る範囲で、図２のようにルア−本体２に当接することで規制されている。
【００１３】
前記釣り針１１の止着部１０の位置はルア−本体２の前端Ｚと後端Ｋを結ぶＸ線より下側で、前端Ｚと後端Ｋの中央でＸ線に直交する線分のＹ線の前側である。
前記釣り針１４の止着部１３の位置はルア−本体２の前端Ｚと後端Ｋを結ぶＸ線より下側で、前端Ｚと後端Ｋの中央のＹ線の後側である。
なお、ルア−本体２のＹ線より前側部分をルア−本体２の前端側とし、Ｙ線より後側部分をルア−本体２の後端側とする。
さらに、ルア−本体２は左右の側部Ｓ１，Ｓ２を囲む周縁部を有し、その周縁部のうち前端Ｚ、後端Ｋの上側の周縁部を背部２ａとし、下側の周縁部を腹部２ｃとする。
【００１４】
ルア−１が水へ投入されると重り３の重量で沈み、釣糸４が引かれると、水の抵抗部２ｂに水が当たって水の抵抗でルア−本体２が揺動しながら泳動し、かつ揺動体７が回転すると共に揺動する。
この時、揺動体７は、ルアー本体２の背部２ａに取り付けられているため、従来のルアーよりも揺動体７が前方側に位置し、ルアー本体２に近いため、魚が揺動体７を狙うとルアー本体２の近くで噛みつくことになる。
さらに、揺動体７は、ルアー本体２の上方側に釣り針１４から離れて位置するため、揺動体７の取付部材Ｔへの絡みつきが防止され、しかも、ルアー本体２の背部２ａに設けた突部６に揺動体７を取り付けることで確実に揺動体７の取付部材Ｔを釣り針１４から離すことができ、釣り針１４と絡まない位置に配することができる。
【００１５】
また、ルア−本体２の腹部２ｃの後端側に取り付けられた釣り針１４は、図２のように、釣り針１４と揺動体７の取付部材Ｔはルアー本体２を介してその上方と下方に位置しているので、釣り針１４が上方に持ち上がっても、ルア−本体２の後端側の側部Ｓ１，Ｓ２に当たって釣り針１４が突部６や揺動体７の取付部材Ｔのスイベル８と連結リング９や揺動体７に絡み付くことが防止される。
しかも、釣り針１４の針先の揺動領域１４Ｒと取付部材Ｔの揺動領域ＴＲが重ならないように離れているため、さらに両者の絡み付きが防止されている。
また、揺動体７の取付部を構成する取付部材Ｔはルア−本体２の後端Ｋの上方か又は後端Ｋより前側に設けているためより釣り針１４と絡みにくくなり、揺動体７もルア−本体２に近づくため、魚が釣り針１４に掛かりやすくなっている。
【００１６】
前記のようにルア−が構成されると、揺動体７を設けて魚を引き付けることが出来、しかも、ルア−本体２の後端側に釣り針１４を設けても釣り針１４が突部６や揺動体７の取付部材Ｔのスイベル８と連結リング９に引っ掛かる不具合が防止され、魚を針掛かりさせ釣果を増やすことが出来る。
一方、揺動体７は板状体の他に棒状に形成したものや、柔軟な紐体や帯体など板状体以外のものを用いてもよい。
なお、揺動体７は、背部２ａに取り付けられＸ線より上方に位置するため、ルアー本体後端側の釣り針１４は腹部２ｃの後端側の他に、ルアー本体２の後端Ｋに取り付けてもよく、釣り針１４は自重で垂下した状態であるため絡みにくい。
【００１７】
図３は第２実施例で、図３はルア−の側面図である。
【００１８】
第２実施例では、第１実施例の凹状の水の抵抗部に代えてリップ状の水の抵抗体１６がルア−本体２の前端腹部側に固定され釣糸４が引かれるとルア−本体２が泳動するようになっている。
釣糸４の止着部５はルア−本体２の前端に固定されている。
他の構成は前記第１実施例と略同一である。
【００１９】
図４は第３実施例で、図４はルア−の側面図である。
【００２０】
ルア−１は、ステンレス、チタン合金、真鍮等の金属からなるルア−本体２′の背部２ｄに釣糸４の止着用の複数の透孔２ｆが形成されている。
ルア−１はルア−本体２′の側面が水の抵抗部２ｅとなって泳動する。
複数の透孔２ｆに選択的に連結リング１７を介して釣糸４が取り付けられている。
複数の透孔２ｆより更に後側の背部２ｄに線材からなる突部６の一端６ａが固定されている。
突部６の他端６ｂには揺動体７の取付部材Ｔの連結リング９を介して揺動体７が揺動自在に取り付けられている。
揺動体７は金属材等の板からなっている。
【００２１】
ルア−本体２′の腹部２ｇの前側には釣り針１１の止着用の透孔２ｈが形成されて釣り針１１がリング１２、１８を介して透孔２ｈに揺動自在に取り付けられている。
ルア−本体２′の腹部２ｇの後端側には釣り針１４の止着用の透孔２ｉが形成されて釣り針１４がリング１５、１９を介して透孔２ｉに揺動自在に取り付けられている。
【００２２】
前記釣り針１１の止着用の透孔２ｈの位置はルア−本体２′の前端Ｚと後端Ｋを結ぶＸ線より下側で、前端Ｚと後端Ｋの中央でＸ線に直交するＹ線の前側である。
前記釣り針１４の止着用の透孔２ｉの位置はルア−本体２′の前端Ｚと後端Ｋを結ぶＸ線より下側で、前端Ｚと後端Ｋの中央でＸ線に直交するＹ線の後側である。
ルア−本体２′の後端に透孔２ｊが形成されているが、仮にこの透孔２ｊに釣り針を止着しても、釣り針１４は垂下しているためルアー本体２′の背部２ｄ側へ揺れにくく、しかも、釣り針が揺動体７や揺動体７の取付部材Ｔの連結リング９に引っ掛かることがないように釣り針の揺動領域が形成されている。
【００２３】
図５は第４実施例で、図５はルア−の側面図である。
【００２４】
第４実施例では、木材、合成樹脂等で形成されたルア−本体２の背部２ａの後端側にヒレ状の突部６′が一体または別体でルア−本体２の上方に突設されている。
突部６′には透孔６ｃが穿設されて揺動体７の取付部材Ｔのスイベル８と連結リング９を介して揺動体７が揺動自在、回転自在に取り付けられている。
他の構成は前記第１実施例と略同一である。
【００２５】
図６は第５実施例で図６はルア−の側面図である。
【００２６】
第５実施例では、ルアー本体２は突部を有しておらず、揺動体７がルアー本体２の背部２ａに直接、取付部材Ｔを介して揺動自在に取り付けられている。
ルアー本体２の背部２ａの最も上側となる位置に孔２ｋを設け、取付部材Ｔのスイベル８と連結リング９を介して板状体の揺動体７が取り付けられ、この揺動体７は取付部材Ｔを介してＸ線より上側で取り付けられている。
孔２ｋは、ルアー本体２の後端側に位置している。
取付部材Ｔと揺動体７は、後端Ｋより前方に設け、釣り針１４と取付部材Ｔのそれぞれの揺動領域１４ＲとＴＲは重ならないように離れて配され、両者の絡み付きが防止されている。
他の構成は、第１実施例と略同一である。
【００２７】
なお、第１から第５の実施例のルアーは、ルアー本体２が水の抵抗で揺動し、揺動体７との相乗効果で魚を誘うようにしたが、ルアー本体２が揺動しないルアーに用いてもよい。
【００２８】
【発明の効果】
本発明は、以上説明したような形態で実施され、以下に記載されるような効果を奏する。
【００２９】
揺動体を設けて魚を引き付けることが出来、しかも、ルア−本体の後端側に釣り針を設けても釣り針が揺動体の取付部材に引っ掛かる不具合を防止することができ、魚が針掛かりし易くなって釣果を増やすことが出来る。
【図面の簡単な説明】
【図１】第１実施例で、ルア−の側面図である。
【図２】同ルア−の一部断面図である。
【図３】第２実施例で、ルア−の側面図である。
【図４】第３実施例で、ルア−の側面図である。
【図５】第４実施例で、ルア−の側面図である。
【図６】第５実施例で、ルア−の側面図である。
【符号の説明】
１  ルア−
２、２′  ルア−本体
２ａ、２ｄ  背部
２ｃ、２ｇ  腹部
４  釣糸
６、６′突部
７  揺動体
１１、１４  釣り針
【図１】
2004337082.tif 000003
【図２】
2004337082.tif 000004
【図３】
2004337082.tif 000005
【図４】
2004337082.tif 000006
【図５】
2004337082.tif 000007
【図６】
2004337082.tif 000008